(57)【要約】【目的】  燃料電池の誤作動を防止する。【構成】  ハイブリットカメラ１０では、写真フィルムパトローネ１２のスプール１３の内側に燃料タンク２１が設けられ、ケース２５の表面にはマーク３７が設けられている。ハイブリッドカメラ１０にはフォトセンサ３９が設けられており、このフォトセンサ３９がマーク３７を検出すると、燃料電池１６が作動可能な状態になる。【選択図】  図４
2005043729.tif 000002
【特許請求の範囲】
【請求項１】
フィルムを巻き取った芯材がケースに回転可能に収納され、前記芯材の回転によりフィルムを前記ケースの外へ送り出す写真フィルムパトローネであって、
前記ケースの内部に設けられ、カメラに備えられた燃料電池で消費される燃料を貯留する燃料貯留部と、
前記ケースの表面に設けられ、前記カメラに備えられた第１検出手段によって検出されて前記ケースの内部に前記燃料貯留部を備えることを前記カメラに備えられた識別手段に識別させる第１被検出手段と、
を有することを特徴とする写真フィルムパトローネ。
【請求項２】
フィルムを巻き取った中空の芯材がケースに回転可能に収納され、前記芯材の回転によりフィルムを前記ケースの外へ送り出す写真フィルムパトローネであって、
前記ケースの内部に設けられ、カメラに備えられた燃料電池で消費される燃料を貯留する燃料貯留部が装着される装着部と、
前記ケースの表面に設けられ、前記カメラに備えられた第１検出手段によって検出されて前記ケースの内部に前記装着部を備えることを前記カメラに備えられた識別手段に識別させる第２被検出手段と、
を有することを特徴とする写真フィルムパトローネ。
【請求項３】
前記燃料貯留部が前記芯材の内側に設けられていることを特徴とする請求項１に記載の写真フィルムパトローネ。
【請求項４】
前記装着部が前記芯材の内側に設けられていることを特徴とする請求項２に記載の写真フィルムパトローネ。
【請求項５】
前記ケースの表面に設けられ、前記カメラに備えられた読取り手段によって読取られて前記フィルムの固有のデータを前記カメラに備えられたフィルムデータ識別手段に識別させる被読取り手段を有することを特徴とする請求項１乃至４の何れかに記載の写真フィルムパトローネ。
【請求項６】
燃料電池を電源とするカメラであって、
前記燃料電池で消費される燃料を貯留する燃料貯留部を内部に備える写真フィルムパトローネのケースの表面に設けられた第１被検出手段を検出する第１検出手段と、
前記第１検出手段から検出信号を受信すると前記ケースの内部に前記燃料貯留部が備えられていると判定し、前記燃料電池を作動可能な状態にする第１制御手段と、
を有することを特徴とするカメラ。
【請求項７】
前記第１検出手段は、前記第１被検出手段に向けて光線を射出し前記第１被検出手段からの反射光を受光して前記第１被検出手段を検出する第１センサであり、
前記第１センサは、前記第１センサと前記第１被検出手段との間に位置して前記燃料電池で生成された副生成物を貯留する副生成物貯留部に充填された染料の濃度変化を検出して前記副生成物貯留部に貯留された副生成物の量を検出することを特徴とする請求項６に記載のカメラ。
【請求項８】
前記第１センサによって検出された前記染料の濃度変化に基づいて前記燃料の残量を算出する算出手段を有することを特徴とする請求項７に記載のカメラ。
【請求項９】
燃料電池を電源とするカメラであって、
前記燃料電池で消費される燃料を貯留する燃料貯留部が装着される装着部を内部に備える写真フィルムパトローネのケースの表面に設けられた第２被検出手段を検出する第２検出手段と、
前記第２検出手段から検出信号を受信すると、前記ケースの内部に前記装着部が備えられていると判定し、前記燃料電池を作動可能な状態にする第２制御手段と、
を有することを特徴とするカメラ。
【請求項１０】
燃料電池を電源とするカメラであって、
前記燃料電池で消費される燃料を貯留する燃料貯留部が装着される装着部を内部に備える写真フィルムパトローネのケースの表面に設けられた第２被検出手段を検出する第２検出手段と、
前記装着部に装着された前記燃料貯留部を検出する第３検出手段と、
前記第２検出手段及び前記第３検出手段から検出信号を受信すると、前記ケースの内部に前記装着部が備えられていると判定すると共に前記装着部に燃料貯留部が装着されていると判定し、前記燃料電池を作動可能な状態にする第３制御手段と、
を有することを特徴とするカメラ。
【請求項１１】
前記第２検出手段は、前記第２被検出手段に向けて光線を射出し前記第２被検出手段からの反射光を受光して前記第２被検出手段を検出する第２センサであり、
前記第２センサは、前記第２センサと前記第２被検出手段との間に位置して前記燃料電池で生成された副生成物を貯留する副生成物貯留部に充填された染料の濃度変化を検出して前記副生成物貯留部に貯留された副生成物の量を検出することを特徴とする請求項９又は１０に記載のカメラ。
【請求項１２】
前記第２センサによって検出された前記染料の濃度変化に基づいて前記燃料の残量を算出する算出手段を有することを特徴とする請求項１１に記載のカメラ。
【請求項１３】
被写体像を画像データに変換する撮像素子と、前記撮像素子によって変換された前記画像データに基づいて前記被写体像を表示する表示画面と、を有することを特徴とする請求項６乃至１２の何れかに記載のカメラ。
【発明の詳細な説明】
【技術分野】
【０００１】
本発明は、燃料電池を電源とするカメラに装填される写真フィルムパトローネ、及び燃料電池を電源とするカメラに関する。
【背景技術】
【０００２】
近年、携帯機器向けの燃料電池の開発が進んでいるが、燃料電池で消費される燃料を貯留する燃料タンクを携帯機器に備えることによって携帯機器が大型化し、携帯性が悪くなるという問題を抱えている（例えば、特許文献１乃至３参照）。
【０００３】
本出願人は、フィルムカメラにおいてこの問題を解消するために、写真フィルムパトローネのスプールが中空であることに着目してスプールの中に燃料タンクを設け、又は装着することを考案した。
【０００４】
しかしながら、燃料タンクがスプールの中に設けられている写真フィルムパトローネと燃料タンクを備えない通常の写真フィルムパトローネは、ケースの形状は同一である。このため、燃料電池を電源とするカメラに燃料タンクを備えない写真フィルムパトローネを装填した状態で燃料電池を誤作動させてしまう恐れがあった。
【特許文献１】特開２００３−３６８７９号公報
【特許文献２】特開平９−２１３３５９号公報
【特許文献３】特開２００３−４５４６８号公報
【発明の開示】
【発明が解決しようとする課題】
【０００５】
本発明は上記事実を考慮してなされたものであり、燃料電池を電源とし、燃料タンクを備える写真フィルムパトローネを装填されるカメラにおいて、燃料タンクを備えない写真フィルムパトローネを装填して燃料電池を誤作動させることを防止することを目的とする。
【課題を解決するための手段】
【０００６】
請求項１に記載の写真フィルムパトローネは、フィルムを巻き取った芯材がケースに回転可能に収納され、前記芯材の回転によりフィルムを前記ケースの外へ送り出す写真フィルムパトローネであって、前記ケースの内部に設けられ、カメラに備えられた燃料電池で消費される燃料を貯留する燃料貯留部と、前記ケースの表面に設けられ、前記カメラに備えられた第１検出手段によって検出されて前記ケースの内部に前記燃料貯留部を備えることを前記カメラに備えられた識別手段に識別させる第１被検出手段と、を有することを特徴とする。
【０００７】
請求項１に記載の写真フィルムパトローネでは、フィルムを巻き取った芯材がケースに回転可能に収納され、このケースの内部に燃料貯留部が設けられている。この燃料貯留部は、カメラに備えられた燃料電池で消費される燃料を貯留する。
【０００８】
ケースの表面には、ケースの内部に燃料貯留部が備えられていることをカメラに備えられた識別手段に識別させる第１被検出手段が設けられており、この第１被検出手段がカメラに備えられた第１検出手段によって検出される。
【０００９】
これによって、例えばカメラに設けられた制御手段により第１検出手段からの検出信号を受信してから燃料電池が作動可能となるように制御すれば、燃料タンクが設けられていない写真フィルムパトローネをカメラに誤って装填してしまった場合に燃料電池が誤作動してしまうことを防止できる。
【００１０】
請求項２に記載の写真フィルムパトローネは、フィルムを巻き取った中空の芯材がケースに回転可能に収納され、前記芯材の回転によりフィルムを前記ケースの外へ送り出す写真フィルムパトローネであって、前記ケースの内部に設けられ、カメラに備えられた燃料電池で消費される燃料を貯留する燃料貯留部が装着される装着部と、前記ケースの表面に設けられ、前記カメラに備えられた第１検出手段によって検出されて前記ケースの内部に前記装着部を備えることを前記カメラに備えられた識別手段に識別させる第２被検出手段と、を有することを特徴とする。
【００１１】
請求項２に記載の写真フィルムパトローネでは、フィルムを巻き取った芯材がケースに回転可能に収納され、このケースの内部に燃料貯留部が装着される装着部が設けられている。この装着部に装着される燃料貯留部は、カメラに備えられた燃料電池で消費される燃料を貯留する。
【００１２】
ケースの表面には、ケースの内部に装着部が設けられていること、即ち燃料貯留部を装着可能であることをカメラに備えられた識別手段に識別させる第２被検出手段が設けられており、この第２被検出手段がカメラに備えられた第２検出手段によって検出される。
【００１３】
これによって、例えばカメラに設けられた制御手段により第２検出手段からの検出信号を受信してから燃料電池が作動可能となるように制御すれば、燃料タンクが装着可能ではない写真フィルムパトローネをカメラに誤って装填してしまった場合に燃料電池が誤作動してしまうことを防止できる。
【００１４】
請求項３に記載の写真フィルムパトローネは、請求項１に記載の写真フィルムパトローネであって、前記燃料貯留部が前記芯材の内側に設けられていることを特徴とする。
【００１５】
請求項３に記載の写真フィルムパトローネでは、燃料貯留部がフィルムを巻き取った芯材の内側に設けられている。この芯材は通常、中空とされているので、燃料貯留部を写真フィルムのケース内部に設けても、通常の写真フィルムパトローネのケースと大きさは変わらない。従って、写真フィルムパトローネ、及びカメラの大型化を防止できる。
【００１６】
請求項４に記載の写真フィルムパトローネは、請求項２に記載の写真フィルムパトローネであって、前記装着部が前記芯材の内側に設けられていることを特徴とする。
【００１７】
請求項４に記載の写真フィルムパトローネでは、燃料貯留部が装着される装着部は芯材の内側に設けられており、燃料貯留部は芯材の内側に収納される。このため、請求項３と同様に写真フィルムパトローネ、及びカメラの大型化を防止できる。
【００１８】
請求項５に記載の写真フィルムパトローネは、請求項１乃至４の何れかに記載の写真フィルムパトローネであって、前記ケースの表面に設けられ、前記カメラに備えられた読取り手段によって読取られて前記フィルムの固有のデータを前記カメラに備えられたフィルムデータ識別手段に識別させる被読取り手段を有することを特徴とする。
【００１９】
請求項５に記載の写真フィルムパトローネでは、ケースの表面にフィルム感度等のフィルムの固有のデータをカメラに備えられたフィルムデータ識別手段に識別させる被読取り手段が設けられている。この被読取り手段が、カメラに備えられた読取り手段によって読取られる。これによって、フィルムの自動調整等が可能となる。
【００２０】
請求項６に記載のカメラは、燃料電池を電源とするカメラであって、前記燃料電池で消費される燃料を貯留する燃料貯留部を内部に備える写真フィルムパトローネのケースの表面に設けられた第１被検出手段を検出する第１検出手段と、前記第１検出手段から検出信号を受信すると前記ケースの内部に前記燃料貯留部が備えられていると判定し、前記燃料電池を作動可能な状態にする第１制御手段と、を有することを特徴とする。
【００２１】
請求項６に記載のカメラでは、燃料電池を電源としており、この燃料電池で消費される燃料が写真フィルムパトローネの内部に備えられた燃料貯留部に貯留されている。写真フィルムパトローネのケースの表面には第１被検出手段が設けられており、第１検出手段によって検出される。この第１被検出手段は、写真フィルムパトローネの内部に燃料貯留部を備えることを識別させるためのものである。
【００２２】
そして、第１制御手段は、第１検出手段から検出信号を受信すると写真フィルムパトローネに燃料貯留部が備えられていると判定し、燃料電池を作動可能な状態にする。即ち、燃料貯留部を備えない通常の写真フィルムパトローネをカメラに誤って装填した場合には、燃料電池が作動できない状態となる。
【００２３】
これによって、燃料電池に燃料を供給できない状態で燃料電池を誤って作動させてしまうことを防止できる。
【００２４】
請求項７に記載のカメラは、請求項６に記載のカメラであって、前記第１検出手段は、前記第１被検出手段に向けて光線を射出し前記第１被検出手段からの反射光を受光して前記第１被検出手段を検出する第１センサであり、前記第１センサは、前記第１センサと前記第１被検出手段との間に位置して前記燃料電池で生成された副生成物を貯留する副生成物貯留部に充填された染料の濃度変化を検出して前記副生成物貯留部に貯留された副生成物の量を検出することを特徴とする。
【００２５】
請求項７に記載のカメラでは、第１検出手段としての第１センサが、第１被検出手段に向けて光線を射出し第１被検出手段からの反射光を受光して第１被検出手段を検出する。第１センサと第１被検出手段との間には副生成物貯留部が位置しており、燃料電池で生成された副生成物が貯留されている。
【００２６】
この副生成物貯留部には染料が充填されている。染料は、副生成物の貯留量が増えるにつれて濃度が低くなっていくが、この濃度変化が第１センサによって検出されて副生成物貯留部に貯留された副生成物の量が検出される。これによって、副生成物を副生成物貯留部から排出しなければならない時期を知ることが出来る。
【００２７】
請求項８に記載のカメラは、請求項７に記載のカメラであって、前記第１センサによって検出された前記染料の濃度変化に基づいて前記燃料の残量を算出する算出手段を有することを特徴とする。
【００２８】
請求項８に記載のカメラでは、算出手段が、第１センサによって検出された染料の濃度変化に基づいて燃料の残量を算出する。これによって、燃料を燃料貯留部に補給しなければならない時期を知ることができる。
【００２９】
請求項９に記載のカメラは、燃料電池を電源とするカメラであって、前記燃料電池で消費される燃料を貯留する燃料貯留部が装着される装着部を内部に備える写真フィルムパトローネのケースの表面に設けられた第２被検出手段を検出する第２検出手段と、前記第２検出手段から検出信号を受信すると、前記ケースの内部に前記装着部が備えられていると判定し、前記燃料電池を作動可能な状態にする第２制御手段と、を有することを特徴とする。
【００３０】
請求項９に記載のカメラでは、燃料電池を電源としており、この燃料電池で消費される燃料が燃料貯留部に貯留されている。この燃料貯留部は、写真フィルムパトローネの内部に備えられた装着部に装着されている。
【００３１】
写真フィルムパトローネのケースの表面には第２被検出手段が設けられており、第２検出手段によって検出される。この第２被検出手段は、写真フィルムパトローネの内部に燃料貯留部が装着される装着部を備えることを識別させるためのものである。
【００３２】
そして、第２制御手段は、第２検出手段から検出信号を受信すると写真フィルムパトローネに装着部が備えられていると判定し、燃料電池を作動可能な状態にする。即ち、装着部を備えない通常の写真フィルムパトローネをカメラに誤って装填した場合には、燃料電池が作動できない状態となる。
【００３３】
これによって、燃料電池に燃料を供給できない状態において燃料電池を誤って作動させてしまうことを防止できる。
【００３４】
請求項１０に記載のカメラは、燃料電池を電源とするカメラであって、前記燃料電池で消費される燃料を貯留する燃料貯留部が装着される装着部を内部に備える写真フィルムパトローネのケースの表面に設けられた第２被検出手段を検出する第２検出手段と、前記装着部に装着された前記燃料貯留部を検出する第３検出手段と、前記第２検出手段及び前記第３検出手段から検出信号を受信すると、前記ケースの内部に前記装着部が備えられていると判定すると共に前記装着部に燃料貯留部が装着されていると判定し、前記燃料電池を作動可能な状態にする第３制御手段と、を有することを特徴とする。
【００３５】
請求項１０に記載のカメラでは、燃料電池を電源としており、この燃料電池で消費される燃料が燃料貯留部に貯留されている。この燃料貯留部は、写真フィルムパトローネの内部に備えられた装着部に装着されている。
【００３６】
写真フィルムパトローネのケースの表面には第２被検出手段が設けられており、第２検出手段によって検出される。この第２被検出手段は、写真フィルムパトローネの内部に燃料貯留部が装着される装着部を備えることを識別させるためのものである。
【００３７】
また、第３検出手段が装着部に装着された燃料貯留部を検出する。そして、第３制御手段は、第２検出手段及び第３検出手段から検出信号を受信すると、写真フィルムパトローネに装着部が備えられていると判定すると共に、装着部に燃料貯留部が装着されていると判定し、燃料電池を作動可能な状態にする。
【００３８】
即ち、装着部を備えない通常の写真フィルムパトローネをカメラに誤って装填した場合、及び装着部に燃料貯留部を装着せずに写真フィルムパトローネをカメラに誤って装填した場合には、燃料電池は作動できない状態になる。
【００３９】
これによって、燃料電池に燃料を供給できない状態において燃料電池を誤って作動させてしまうことを防止できる。
【００４０】
請求項１１に記載のカメラは、請求項９又は１０に記載のカメラであって、前記第２検出手段は、前記第２被検出手段に向けて光線を射出し前記第２被検出手段からの反射光を受光して前記第２被検出手段を検出する第２センサであり、前記第２センサは、前記第２センサと前記第２被検出手段との間に位置して前記燃料電池で生成された副生成物を貯留する副生成物貯留部に充填された染料の濃度変化を検出して前記副生成物貯留部に貯留された副生成物の量を検出することを特徴とする。
【００４１】
請求項１１に記載のカメラでは、第２検出手段としての第２センサが第２被検出手段に向けて光線を射出し第２被検出手段からの反射光を受光して第２被検出手段を検出する。第２センサと第２被検出手段との間には副生成物貯留部が位置しており、燃料電池で生成された副生成物が貯留されている。
【００４２】
この副生成物貯留部には染料が充填されている。染料は、副生成物の貯留量が増えるにつれて濃度が低くなっていくが、この濃度変化が第２センサによって検出されて副生成物貯留部に貯留された副生成物の量が検出される。これによって、副生成物を副生成物貯留部から排出しなければならない時期を知ることが出来る。
【００４３】
請求項１２に記載のカメラは、請求項１１に記載のカメラであって、前記第２センサによって検出された前記染料の濃度変化に基づいて前記燃料の残量を算出する算出手段を有することを特徴とする。
【００４４】
請求項１２に記載のカメラでは、算出手段が、第２センサによって検出された染料の濃度変化に基づいて燃料の残量を算出する。これによって、燃料を燃料貯留部に補給しなければならない時期を知ることができる。
【００４５】
請求項１３に記載のカメラは、請求項６乃至１２の何れかに記載のカメラであって、被写体像を画像データに変換する撮像素子と、前記撮像素子によって変換された前記画像データに基づいて前記被写体像を表示する表示画面と、を有することを特徴とする。
【００４６】
請求項１３に記載のカメラでは、被写体像はフィルムに結像されるが、撮像素子が被写体像を画像データに変換し、表示画面が画像データに基づいて被写体像を表示するので、例えばこの表示画面の画像を確認しながら写真撮影を行い、又は撮影した直後に撮影した画像を確認できる。
【発明の効果】
【００４７】
本発明は上記構成にしたので、燃料電池を電源とし、燃料貯留部を備える写真フィルムパトローネを装填されるカメラにおいて、燃料貯留部を備えない写真フィルムパトローネ、又は燃料貯留部が装着される装着部を備えない写真フィルムパトローネを装填して燃料電池を誤作動させることを防止できる。
【発明を実施するための最良の形態】
【００４８】
以下に図面を参照しながら第１実施形態について説明する。
【００４９】
図１、図２に示すように、ハイブリットカメラ（以下、カメラという）１０には、写真フィルムパトローネ（以下、パトローネという）１２が、カメラ１０に設けられた収納部１４へ上方から装填される。パトローネ１２が収納部１４へ装填され、蓋８２を閉じると、蓋８２の裏面に設けられた給送機構２７によってフィルムＦ（図４参照）が初期送りされ、フィルムＦの１コマ目が所定の露光位置にセットされる。
【００５０】
収納部１４の底部には、メタノール水溶液（ＣＨ3ＯＨ＋Ｈ2Ｏ）と酸素（Ｏ2）の化学反応によって発電を起し、副生成物として水（Ｈ2Ｏ）、及び二酸化炭素（ＣＯ2）を生成するメタノール直接型燃料電池（以下、燃料電池）１６が備えられている。
【００５１】
パトローネ１２のスプール１３（図４参照）の内側で通常のパトローネでは中空となっている場所には、メタノール水溶液が充填された燃料タンク（燃料貯留部）２１が配設されている。この燃料タンク２１は、中空の円柱形状の容器で、燃料電池１６の燃料室１６Ａに面しており、底部には、燃料室１６Ａの上面に設けられた給液口２０と水密状態で嵌合する燃料供給口１８が設けられている。
【００５２】
また、収納部１４と隔壁１５で仕切られ、燃料電池１６の空気室１６Ｂに面する収納部１７には、水回収タンク１９（副生成物貯留部）が装填される。この水回収タンク１９には、燃料電池１６の空気室１６Ｂで生成された水が回収される。水回収タンク１９は、中空の三角柱形状の容器で、燃料電池１６の空気室１６Ｂに面しており、底部には、空気室１６Ｂの上面に設けられた排水口２４と水密状態で嵌合する水回収口２２が設けられている。
【００５３】
図示は省略したが、燃料供給口１８、水回収口２２には、安全弁が設けられており、この安全弁は、燃料供給口１８と給液口２０、水回収口２２と排水口２４とが接続されると開かれる。
【００５４】
また、カメラ１０には、燃料電池１６に面してヒータ２３が設けられている。このヒータ２３は、カメラ１０を低温環境で使用する際に起動される。ここで、燃料電池１６は、氷点下等の低温環境では通常、化学反応を起すことができないが、ヒータ２３によって加熱されることで化学反応を起こし発電できる。
【００５５】
また、カメラ１０では、カメラ筐体１１の前面に設けられた撮影レンズ２６によってフィルムＦ（図４参照）へ被写体像が結像されるが、カメラ１０には結像系とは別にマイクロレンズ２９（図３参照）とＣＣＤやＣＭＯＳ等の撮像素子３０（図３参照）とで構成される画像確認ユニット３１と、撮像素子３０でデジタル画像に変換された被写体像を表示させる液晶や有機ＥＬ等の画像モニタ４６が設けられている。この画像モニタ４６には撮影した画像が表示される。このように、カメラ１０はフィルムカメラとデジタルカメラの双方の機能を備えることからハイブリットカメラと呼ばれる。
【００５６】
パトローネ１０のケース２５の底面にはスプール１３と一体で回転するバーコード板３３が設けられている。このバーコード板３３にはフィルムの固有データとしてフィルム感度のデータが表示されており、データ読取り部３５（図３参照）によって読取られ、フィルム感度の自動調節が行われる。
【００５７】
また、ケース２５の側面には水回収タンク１９に面してマーク３７（第１被検出手段）が設けられている。このマーク３７は、光の反射率の高い塗料をケース２５の側面に塗ったもので、フォトセンサ３９（第１検出手段）によって検出される。マーク３７は、パトローネ１２に燃料タンク２１が設けられていることをカメラ１０の第１制御手段、及び識別手段としてのＣＰＵ５０（図３参照）に識別させるためのもので、ＣＰＵ５０は、フォトセンサ３９からの検出信号を受信した時のみ、燃料電池１６を作動可能な状態とし、それ以外、即ち燃料タンク２１が設けられていない通常のパトローネが装填された場合は、燃料電池１６が作動できないようにし、画像モニタ４６に警告表示を表示する。これによって、燃料タンク２１がカメラ１０内に存在せず、燃料電池１６へ燃料を供給できない状態にも関わらず、燃料電池１６を作動させてしまう、ということを防止できる。
【００５８】
図３には、本実施形態のカメラ１０の回路構成を示すブロック図が示されている。
【００５９】
カメラ１０には、撮影レンズ２６、シャッタ２８、絞り４１、及び測光部４３が備えられている。撮影レンズ２６、シャッタ２８、及び絞り４１を経由してフイルムＦ（図４参照）に被写体像が結像される。この撮影レンズ２６、シャッタ２８、及び絞り４１は、測光部４３によって測光された被写体輝度や周辺光量等に基づいてＡＦ駆動回路、ズーム駆動回路、シャッタ駆動回路、及び絞り駆動回路等から構成される駆動回路４８によって駆動される。
【００６０】
また、カメラ１０には、マイクロレンズ２９、撮像素子３０とで構成される画像確認ユニット３１が備えられている。マイクロレンズ２９を経由して撮像素子３０上に結像された被写体像は、撮像素子３０によってアナログ画像信号に変換される。
【００６１】
また、カメラ１０には、閃光装置３２が備えられている。この閃光装置３２は、低照度時、又は低照度時以外の必要時に閃光を発光し、被写体に補助光を照射する。
【００６２】
また、カメラ１０には、アナログ信号処理部３４、Ａ／Ｄ変換部３６、デジタル信号処理部３８、テンポラリメモリ４０、圧縮伸長部４２、内蔵メモリ（又はメモリカード）４４、画像モニタ４６が備えられている。
【００６３】
撮像素子３０は、駆動回路４８内のタイミング発生回路（図示省略）によって発生されたタイミングで駆動され、アナログ画像信号を出力する。撮像素子３０から出力されたアナログ画像信号は、アナログ信号処理部３４でアナログ信号処理され、Ａ／Ｄ変換部３６でＡ／Ｄ変換され、そして、デジタル信号処理部３８でデジタル信号処理される。デジタル信号処理されたデジタル画像データは、テンポラリメモリ４０に一時的に格納される。
【００６４】
テンポラリメモリ４０に格納されたデジタル画像データは、圧縮伸長部４２で圧縮されて内蔵メモリ（又はメモリカード）４４に記録される。尚、撮影モードによっては、圧縮の過程を省いて内蔵メモリ４４に直接記録しても良い。そして、テンポラリメモリ４０に格納されたデジタル画像データは画像モニタ４６に読み出され、画像モニタ４６に被写体像が映し出される。
【００６５】
また、カメラ１０には、カメラ１０全体の制御を司るＣＰＵ５０、ズーム操作スイッチ等を含む操作スイッチ群５２、及びシャッタボタン５４が備えられている。操作スイッチ群５２を操作して所望の撮影状態に設定し、シャッタボタン５４を押下することによって、写真撮影が行われる。
【００６６】
また、カメラ１０には、２次電池５１、コンバータ５３、及び燃料電池１６が備えられており、カメラ１０を構成する各部は、２次電池５１にバッファされた電気エネルギーで作動される。この２次電池５１にバッファされた電気エネルギーが不足していると、ＣＰＵ５０は、コンバータ５３を作動させて燃料電池１６を発電させる。そして、燃料電池１６から電気エネルギーが供給されて２次電池５１の充電が完了すると、コンバータ５３の作動を停止させて燃料電池１６の発電を停止させる。
【００６７】
図２に示すように、カメラ１０の背面には、ファインダ５６、ファインダＬＥＤ５８、撮影／再生モード選択スイッチ６０、撮影モード選択ダイヤル６２、マルチファンクションの十字キー６４、カメラの動作モードや十字キー６４の機能等を文字やアイコンで表示するドットマトリクスの液晶表示機６６、バックスイッチ６８、メニュー／ＯＫスイッチ７０、及び画像モニタ４６が設けられている。
【００６８】
また、カメラ１０の側面には、音声／映像（Ａ／Ｖ）出力端子７６、デジタル（ＵＳＢ）端子７８、及びＤＣ入力端子８０が設けられている。
【００６９】
カメラ１０は、撮影／再生モード選択スイッチ６０によって撮影モード、又は再生モードが選択できるようになっており、撮影モード時には撮影モード選択ダイヤル６２によってマニュアル撮影、オート撮影等の各モードが選択できるようになっている。
【００７０】
画像モニタ４６は、撮影した直後の画像を表示する以外に、内蔵メモリ（又はメモリカード）４４から読み出した再生画像等を表示することができる。また、画像モニタ４６は、撮影可能コマ数や再生コマ番号の表示、ストロボ発光の有無、マクロモード表示、記録画質（クオリティー）表示、画素数表示等の情報も表示され、更に各種のメニュー等がメニュー／ＯＫボタン７０や十字キー６４の操作に応じて表示される。
【００７１】
次に、パトローネ１２、水回収タンク１９、及び燃料電池１６の構造について説明する。
【００７２】
図４に示すように、パトローネ１２のケース２５は、中空の円柱形状の容器で、中心部にスプール１３を回転可能に支持する軸が設けられているがこの軸が燃料タンク２１となっている。また、スプール１３はフィルムＦを巻き取っており、給送機構２７によって回転されてケース２５の外へフィルムＦを送り出す。
【００７３】
燃料電池１６のケーシング１２８は、電池セル１３０によって燃料室１６Ａと空気室１６Ｂに室が分けられている。燃料室１６Ａと空気室１６Ｂは、パトローネ１２が載置される台座１３２によって封止されている。
【００７４】
台座１３２には、燃料室１６Ａに面して給液口２０が設けられ、空気室１６Ｂに面して排水口２４が設けられ、燃料タンク２１から燃料室１６Ａへ燃料を供給でき、空気室１６Ｂから水回収タンク１９へ水を回収できるようになっている。
【００７５】
電池セル１３０は、燃料室１６Ａの壁面を構成する燃料極１３０Ａ、空気室１６Ｂの壁面を構成する空気極１３０Ｂ、及び燃料極１３０Ａと空気極１３０Ｂに挟まれるプロトン導電膜１３０Ｃとで構成されている。
【００７６】
燃料タンク２１から燃料室１６Ａへメタノールが供給され、燃料極１３０Ａに電圧が印加されると、メタノールが化学反応式（１）に示すように、二酸化炭素、水素イオン、及び電子に分解される。
【００７７】
ＣＨ3ＯＨ＋Ｈ2Ｏ→ＣＯ2＋６Ｈ+＋ｅ-  …（１）
二酸化炭素は、燃料室１６Ａの壁面に設けられた気液分離フィルタ１３４によって燃料室１６Ａから放出され、水素イオンは、プロトン導電膜１３０Ｃを透過して空気極１３０Ｂへ移動する。そして、電子は、２次電池５１（図３参照）へ向かい、２次電池５１を充電させる。
【００７８】
空気極１３０Ｂへ移動した水素イオンＨ+は、空気室１６Ｂの壁面に設けられた気液分離フィルタ１３６を透過して空気室１６Ｂへ流入した酸素、及び電子と結合して水となる。この水は、排水口２４、及び水回収口２２を通過して水回収タンク１９に回収される。
【００７９】
また、水回収タンク１９を間に置いてマーク３７に対向してフォトセンサ３９が設けられている。このフォトセンサ３９は光線を射出すると共に、光線を受光する投受光反射型センサで、光の反射率の高いマーク３７に向けて光線を射出し、マーク３７からの反射光を受光することによってマーク３７を検出する。なお、水回収タンク１９は光を透過できる透明の容器とされ、隔壁１５は、光路を遮らないようになっている。
【００８０】
次に、第２実施形態について説明する。なお、第１実施形態と同一の構成には同一の符号を付し、説明は省略する。
【００８１】
図５、図６に示すように、ハイブリットカメラ（以下、カメラという）１００では、写真フィルムパトローネ（以下、パトローネという）１０２の装着部１０４に燃料タンク１０６が着脱可能となっている。装着部１０４はスプール１３を回転可能に支持する中空の軸の内側に設けられている。
【００８２】
また、パトローネのケース１０８の側面にはフォトセンサ１０９（第２検出手段）に面してマーク１１０（第２被検出手段）が設けられている。このマーク１１０は、パトローネ１０２に燃料タンク１０６が装着される装着部１０４が設けられていることをカメラ１００のＣＰＵ５０（第２制御手段、第３制御手段、識別手段）に識別させるためのものである。
【００８３】
また、燃料タンク１０６の上端面には光の反射率の高いマーク１１２が設けられており、このマーク１１２に面して投受光反射型センサであるフォトセンサ１１４（第３検出手段）が蓋８２の裏面に設けられている。このフォトセンサ１１４は、マーク１１２を検出して燃料タンク１０６を検出する。
【００８４】
ＣＰＵ５０は、フォトセンサ１０９、及びフォトセンサ１１４からの検出信号を受信した時のみ、燃料電池１６を作動可能な状態とし、それ以外、即ち燃料タンク１０６が設けられていない通常のパトローネが装填された場合、及び燃料タンク１０６が装着部１０４に装着されていないパトローネ１０２が装填された場合は、燃料電池１６が作動できないようにし、警告表示を表示する。これによって、燃料タンク１０６がカメラ１００内に存在せず、燃料電池１６へ燃料を供給できない状態にも関わらず、燃料電池１６を作動させてしまう、ということを防止できる。
【００８５】
次に、第１、第２実施形態のカメラ１０、１００の変形例について説明する。なお、第１、第２実施形態と同一の構成には同一の符号を付し、説明は省略する。
【００８６】
図７（Ａ）、（Ｂ）、図８（Ａ）、（Ｂ）に示すように、水回収タンク１９には染料が充填されている。水回収タンク１９には燃料電池１６で生成された水が回収されるので、この染料は水の回収量が増えるにつれて濃度が低くなる。
【００８７】
第１、第２実施形態のフォトセンサ３９、１０９に変えて受光量の変化を検出することが可能なフォトセンサ１１６（第１検出手段、第２検出手段）が設けられている。図７（Ａ）、図８（Ａ）に示すように、水回収タンク１９内の水の回収量が少ない時は、染料の濃度が高い。このため、フォトセンサ１１６から射出された光は水回収タンク１９を透過する際に減衰される光量が多くなり、フォトセンサ１１６へ戻る光量が少なくなる。
【００８８】
そして、図７（Ｂ）、図８（Ｂ）に示すように、水回収タンク１９内の水の回収量が多い時は、染料の濃度が低くなるので、フォトセンサ１１６から射出された光は水回収タンク１９を透過する際に減衰される量が染料の濃度が高い時と比して少なくなる。このため、フォトセンサ１１６へ戻る光量は水回収タンク１９内の水の回収量が少ない時と比して多くなる。
【００８９】
このように、染料の濃度変化を検出することによって、水回収タンク１９内の水の回収量を知ることができ、水回収タンク１９から排水する時期を知ることができる。
【００９０】
また、ＣＰＵ５０には、フォトセンサ１１６によって検出される光量に応じた燃料の残量が記憶されており、ＣＰＵ５０は、フォトセンサ１１６によって検出される光量に基づいて燃料タンク２１（１０６）内の燃料の残量を算出し、画像モニタ４６に表示する。
【００９１】
なお、本実施形態では、メタノール直接型燃料電池について説明したが、他の種類の燃料電池にも適用可能である。また、反射率の高いマークをパトローネのケースに設けて、このマークを投受光反射型のフォトセンサによって検出する構成を例に取って説明したが、これに限らず、パトローネのケースの側面に切欠き（ノッチ）を設けてこの切欠きの間に光線を通過させるようにしても良い。また、パトローネから突起を突設させて、この突起が透過型センサの光線を遮るようにしても良い。
【図面の簡単な説明】
【００９２】
【図１】第１実施形態のカメラを示す斜視図である。
【図２】第１実施形態のカメラを示す斜視図である。
【図３】第１実施形態のカメラの回路構成を示すブロック図である。
【図４】第１実施形態のカメラのパトローネ、燃料電池、及び水回収タンクを示す断面図である。
【図５】第２実施形態のカメラを示す斜視図である。
【図６】第２実施形態のカメラのパトローネ、燃料電池、及び水回収タンクを示す断面図である。
【図７】（Ａ）第１、第２実施形態のカメラの変形例のパトローネ、燃料電池、及び水回収タンクを示す断面図である。        （Ｂ）第１、第２実施形態のカメラの変形例のパトローネ、燃料電池、及び水回収タンクを示す断面図である。
【図８】（Ａ）第１、第２実施形態のカメラの変形例のパトローネ、燃料電池、及び水回収タンクを示す断面図である。        （Ｂ）第１、第２実施形態のカメラの変形例のパトローネ、燃料電池、及び水回収タンクを示す断面図である。
【符号の説明】
【００９３】
１０    ハイブリッドカメラ（カメラ）
１２    写真フィルムパトローネ
１３    スプール（芯材）
１６    燃料電池
１９    水回収タンク（副生成物貯留部）
２１    燃料タンク（燃料貯留部）
２５    ケース
３０    撮像素子
３３    バーコード板（被読取り手段）
３５    データ読取り部（読取り手段）
３７    マーク（第１被検出手段）
３９    フォトセンサ（第１検出手段）
４６    画像モニタ（表示画面）
５０    ＣＰＵ（識別手段、フィルムデータ識別手段、第１制御手段、第２制御手段、第３制御手段、算出手段）
１００  ハイブリッドカメラ（カメラ）
１０２  写真フィルムパトローネ
１０４  装着部
１０６  燃料タンク（燃料貯留部）
１０８  ケース
１０９  フォトセンサ（第２検出手段）
１１０  マーク（第２被検出手段）
１１４  フォトセンサ（第３検出手段）
１１６  フォトセンサ（第１センサ、第２センサ）
【図１】
2005043729.tif 000003
【図２】
2005043729.tif 000004
【図３】
2005043729.tif 000005
【図４】
2005043729.tif 000006
【図５】
2005043729.tif 000007
【図６】
2005043729.tif 000008
【図７】
2005043729.tif 000009
【図８】
2005043729.tif 000010